【手続補正書】
【提出日】平成17年9月16日(2005.9.16)
【手続補正１】
【補正対象書類名】特許請求の範囲
【補正対象項目名】全文
【補正方法】変更
【補正の内容】
【特許請求の範囲】
【請求項１】
動電型スピーカーであって、
結合された導電体を有する振動板と、
取り付け面を画成するボデーを有する成形されたフレームと、
該フレームの該ボデーに少なくとも部分的に埋め込まれた複数個の磁石とを備え、該振動板は該取り付け面に結合され、該磁石の各々は該取り付け面から偏移している動電型スピーカー。
【請求項２】
動電型スピーカーの構成方法であって、
磁石を射出鋳型の空洞内に配置する工程と、
該空洞を密封する工程と、
該磁石の少なくとも一部の周囲に融解された樹脂を注入して、該磁石を部分的に該樹脂内に封入する工程と、
該樹脂を固化させて、内部に磁石が封入されたフレームを形成する工程と、
振動板を該フレームに装着する工程と、を含む方法。
【請求項３】
請求項１に記載の動電型スピーカーであって、前記磁石の各々が上表面を有し、該磁石の各々の上表面が、該他の磁石の各々の上表面と実質的に同一平面上にある、スピーカー。
【請求項４】
請求項１に記載の動電型スピーカーであって、前記磁石の各々が、前記フレームのボデーの上表面と整列された上表面を有する、スピーカー。
【請求項５】
請求項１に記載の動電型スピーカーであって、前記磁石の少なくとも２つが異なる厚みを有する、スピーカー。
【請求項６】
請求項１に記載の動電型スピーカーであって、前記フレームの一部に少なくとも部分的に埋め込まれた電気端子をさらに有する、スピーカー。
【請求項７】
請求項６に記載の動電型スピーカーであって、前記電気端子が、前記フレームのボデーから延びる雄の突起を備える、スピーカー。
【請求項８】
請求項７に記載の動電型スピーカーであって、前記フレームが、前記電気端子の雄の突起部分を部分的に囲む壁を備える、スピーカー。
【請求項９】
請求項６に記載の動電型スピーカーであって、前記電気端子が、前記フレームの表面を超えて延びる端部を有し、該端部が前記導電体と電気的に接続されている、スピーカー。
【請求項１０】
請求項９に記載の動電型スピーカーであって、前記電気端子が前記フレームのボデーから延びる雄の突起を備え、かつ該電気端子が前記端部と該雄の突起との間に位置する中間部を有し、該中間部が該フレームに埋め込まれている、スピーカー。
【請求項１１】
動電型スピーカーであって、
成型されたプラスチックフレームと、
該フレームに一体的に成型された第１磁石および第２磁石とを備え、
該第１磁石および第２磁石は各々、第１表面および第２表面を有し、該第１磁石および第２磁石の各々の第１表面は、実質的に単一平面に整列されている、
スピーカー。
【請求項１２】
請求項１１に記載の動電型スピーカーであって、前記第１磁石が第１行に配置され、前記第２磁石が第２行に配置されて、該第１磁石と該第２磁石との間に磁場を形成する、スピーカー。
【請求項１３】
請求項１１に記載の動電型スピーカーであって、前記第１磁石が、前記第２磁石の極性と反対の極性を有するフレームに配置される、スピーカー。
【請求項１４】
請求項１１に記載の動電型スピーカーであって、前記第１磁石が第１行に複数の磁石を含み、前記第２磁石が第２行に複数の磁石を含む、スピーカー。
【請求項１５】
請求項１１に記載の動電型スピーカーであって、前記第１磁石および前記第２磁石が、それぞれ、前記フレームの第１行および第２行に、端から端まで配置された長手方向に延びる複数の部材を含む、スピーカー。
【請求項１６】
請求項１１に記載の動電型スピーカーであって、前記第１磁石および前記第２磁石の第１表面が、前記フレームの表面と同一平面にあり、かつ、前記第１磁石および第２磁石の第２表面が、前記成形されたプラスチックフレームに埋め込まれている、スピーカー。
【請求項１７】
請求項１１に記載の動電型スピーカーであって、前記第１磁石および前記第２磁石の各々がスロットを備え、該第１磁石および該第２磁石が前記フレームに埋め込まれる際に該スロットがプラスチックで充填される、スピーカー。
【請求項１８】
請求項１１に記載の動電型スピーカーであって、振動板をさらに備え、該振動板が、引っ張られた状態で前記フレームに取り付けられており、かつ所定の距離だけ前記第１磁石および前記第２磁石から離れている、スピーカー。
【請求項１９】
請求項１８に記載の動電型スピーカーであって、前記振動板が前記フレームに結合された薄膜を含み、該膜はサウンドを生成可能な可動膜である、スピーカー。
【請求項２０】
請求項１９に記載の動電型スピーカーであって、前記薄膜が一体構造である、スピーカー。
【請求項２１】
動電型スピーカーであって：
複数の長手方向に延びる磁石と、
第１表面および第２表面を有するフレーム、
とを備え、該磁石は、間隔を開けた複数の行で、該フレームの第１表面に埋め込まれて、該第１表面に沿って長手方向に延びており、該磁石はまた、部分的に、該フレームを通り該第２表面に向かって延びている、スピーカー。
【請求項２２】
請求項２１に記載の動電型スピーカーであって、前記第１表面が、振動板に隣接して配置可能な前記フレームの内側表面であり、前記第２表面が、該フレームの外側表面である、スピーカー。
【請求項２３】
請求項２１に記載の動電型スピーカーであって、前記フレームが弓状フレームである、スピーカー。
【請求項２４】
請求項２１に記載の動電型スピーカーであって、前記フレームが、振動板を伸長するように弾性により変形可能である、スピーカー。
【請求項２５】
請求項２１に記載の動電型スピーカーであって、前記フレームが、前記第１表面から前記第２表面へと延びる複数のアパーチャを備え、前記磁石の行が、該アパーチャの行の間に配置される、スピーカー。
【請求項２６】
請求項２１に記載の動電型スピーカーであって、前記磁石が、前記フレームの第１表面と実質的に同一平面となるように、該フレームに埋め込まれている、スピーカー。
【請求項２７】
請求項２５に記載の動電型スピーカーであって、前記磁石が、前記第１表面との同一平面性を維持するように、前記第２表面の方に不均一に延びている、スピーカー。
【請求項２８】
請求項２１に記載の動電型スピーカーであって、前記磁石がほぼ長方形であり、前記行の端から端まで配置されている、スピーカー。
【請求項２９】
請求項２に記載の方法であって、融解された樹脂を注入する工程が、該樹脂中に前記磁石を保持するために、該磁石の各々に含まれるスロットを該融解された樹脂で充填する工程を包含する、方法。
【請求項３０】
請求項２に記載の方法であって、融解された樹脂の注入の前に、開放された鋳型空洞内に電気端子を配置する工程をさらに包含する、方法。
【請求項３１】
請求項３０に記載の方法であって、前記電気端子の一部をマスクして、該電気端子の封入された部分および、前記樹脂が固化された後に前記フレームから突出した該電気端子の露出した部分を規定する工程をさらに包含する、方法。
【請求項３２】
請求項２に記載の方法であって、前記フレームに振動板を取り付ける工程をさらに包含する、方法。
【請求項３３】
請求項２に記載の方法であって、前記融解された樹脂の注入プロセスの間に、前記フレームに前記振動板を成形する工程をさらに包含する、方法。
【請求項３４】
請求項２に記載の方法であって、前記磁石を配置する工程が、前記鋳型の行の端から端まで該磁石を配置することを包含する、方法。
【請求項３５】
請求項２に記載の方法であって、前記磁石を配置する工程が、該磁石の上表面が実質的に単一平面になるように、該磁石を配置することを包含する、方法。
【請求項３６】
請求項２に記載の方法であって、前記磁石を部分的に封入する工程が、該磁石の表面と同一平面上にある前記樹脂の表面を形成することを含む、方法。